(57)【要約】  収納装置（１１）は、底面（２７）と収容空間（３３）を囲む壁面と前面開口部（４３）と上面開口部（４５）を有して、パッケージ体（１３）を複数方向から収容空間（３３）に挿入可能とする収納体（１５）と、一対の内側面（２９）の間で前面開口部（４３）に近接して底面（２７）に設けられ、奥面（３１）に向かって下る傾斜面（４７）を有する前方ガイド（１７）と、上面開口部（４５）に近接して奥面（３１）に設けられ、収容空間（３３）に収容されたパッケージ体（１３）の奥面（３１）に沿う上方向の移動を規制する後方ガイド（１９）と、を備える。
2019093343.tif 000002
【特許請求の範囲】
【請求項１】
底面と収容空間を囲む壁面と前面開口部と上面開口部を有して、パッケージ体を複数方向から前記収容空間に挿入可能とする収納体と、
前記前面開口部に近接して前記底面に設けられ、前記壁面のうち前記収容空間の奥側の面に向かって下る傾斜面を有する前方ガイドと、
前記上面開口部に近接して前記奥側の面に設けられ、前記収容空間に収容された前記パッケージ体の前記奥側の面に沿う上方向の移動を規制する後方ガイドと、を備える、
収納装置。
【請求項２】
前記パッケージ体に嵌る結合部が前記底面に設けられ、
前記結合部は、前記パッケージ体との結合前に結合方向が前記前面開口部に向かう方向に前傾して配置されるとともに、前記パッケージ体との結合後に結合方向が前記奥側の面に沿う上方向に向くように可動自在に設けられる、
請求項１に記載の収納装置。
【請求項３】
前記壁面は、一対の平行な内側面と奥面とを有する、
請求項１に記載の収納装置。
【請求項４】
前記パッケージ体に嵌る結合部が、前記前方ガイドより前記奥面に接近して設けられる、
請求項３に記載の収納装置。
【請求項５】
一対の前記前方ガイドが、前記奥側の面に沿う方向に離間して設けられる、
請求項１又は２に記載の収納装置。
【請求項６】
前記前方ガイドは、前記前面開口部に近接する上段平面と、この上段平面よりも前記底面からの高さが低く奥面側となる下段平面とを有し、
前記傾斜面が、前記上段平面と前記下段平面を接続する上段傾斜面と、前記下段平面と前記底面とを接続する下段傾斜面と、を有する、
請求項１〜３のうちいずれか一項に記載の収納装置。
【発明の詳細な説明】
【技術分野】
【０００１】
本開示は、被収納物を収納する収納装置に関する。
【背景技術】
【０００２】
特許文献１の充電台には、携帯端末の端部を挿入する凹部が設けられ、凹部の挿入方向に直交する横断面が矩形状に形成される。凹部の１つの側面に対応する側部には、携帯端末の端部に当接する当接部及び携帯端末の端子部に当接する接点部を有する充電レバーが設けられる。充電レバーは、当接部に携帯端末の端部が当接することにより、接点部が凹部の１つの側面から突出するように構成されている。
【先行技術文献】
【特許文献】
【０００３】
【特許文献１】日本国特開２０１４−７９０８８号公報
【発明の概要】
【発明が解決しようとする課題】
【０００４】
本開示は、上述した従来の状況に鑑みて案出され、被収納物が挿入され易く、載置された被収納物の鉛直方向上方への抜けを抑制する収納装置を提供する。
【課題を解決するための手段】
【０００５】
本開示の収納装置は、底面と収容空間を囲む壁面と前面開口部と上面開口部を有して、パッケージ体を複数方向から前記収容空間に挿入可能とする収納体と、前記前面開口部に近接して前記底面に設けられ、前記壁面のうち前記収容空間の奥側の面に向かって下る傾斜面を有する前方ガイドと、前記上面開口部に近接して前記奥側の面に設けられ、前記収容空間に収容された前記パッケージ体の前記奥側の面に沿う上方向の移動を規制する後方ガイドと、を備える。
【発明の効果】
【０００６】
本開示によれば、被収納物が挿入され易く、載置された被収納物の鉛直方向上方への抜けも抑制できる。
【図面の簡単な説明】
【０００７】
【図１】本実施の形態に係る収納装置を、パッケージ体とともに表した斜視図
【図２】図１に示した収納体の斜視図
【図３】図２に示した収納体の側面図
【図４】前面開口部からの収納動作を説明する、収納体と前方縁部が接地したパッケージ体との正面図
【図５】図４のＡ−Ａ矢視図
【図６】前面開口部からの収納動作を説明する、収納体と起こされる途中のパッケージ体との正面図
【図７】図６のＢ−Ｂ矢視図
【図８】前面開口部からの収納動作を説明する、収納体と収納の完了したパッケージ体との正面図
【図９】図８のＣ−Ｃ矢視図
【図１０】前方縁部が底面に載置された場合の収納動作を説明する、収納体と移動途中（言い換えると、収納途中）のパッケージ体との側面図
【図１１】上面開口部からの収納動作を説明する、収納体と後方ガイドに当接したパッケージ体との正面図
【図１２】図１１のＤ−Ｄ矢視図
【図１３】上面開口部からの収納動作を説明する、収納体と被結合部が結合部に一致したパッケージ体との正面図
【図１４】図１３のＥ−Ｅ矢視図
【図１５】上面開口部からの収納動作を説明する、収納体と前方縁部が上段傾斜面に当接したパッケージ体との正面図
【図１６】図１５のＦ−Ｆ矢視図
【発明を実施するための形態】
【０００８】
（実施の形態の内容に至る経緯）
従来の収納装置の一例として、上述した特許文献１の充電台では、被収納物（例えば、携帯端末）の端部を挿入する凹部が設けられる。この凹部は、挿入方向に直交する横断面が矩形状に形成される。使用時には、収納装置は、凹部に被収納物の端部を挿入する。凹部は、挿入方向が一方向に限られ、凹部の挿入開口が被収納物の横断面と略一致するため、特に被収納物が重量物の場合には、挿入しにくいので使い勝手が良くないという課題が生じる。また、収納装置は、保持部を備えないため、凹部から被収納物が容易に上方向（例えば、鉛直方向上方）に浮き上がってしまうという課題もある。
【０００９】
そこで、以下の実施の形態では、被収納物が挿入され易く、載置された被収納物の鉛直方向への抜けも抑制できる収納装置の例を説明する。
【００１０】
以下、適宜図面を参照しながら、本開示に係る収納装置を具体的に開示した実施の形態（以下、「本実施の形態」という）を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になることを避け、当業者の理解を容易にするためである。なお、添付図面及び以下の説明は、当業者が本開示を十分に理解するために提供されるものであり、これらにより特許請求の範囲に記載の主題を限定することは意図されていない。
【００１１】
図１は、本実施の形態に係る収納装置１１を、パッケージ体１３とともに表した斜視図である。なお、本実施の形態において、上下前後左右の方向は、図１に示した矢印の方向に従う。
【００１２】
本実施形態に係る収納装置１１は、収納体１５と、前方ガイド１７と、後方ガイド１９と、を主要な構成として有する。
【００１３】
収納装置１１は、被収納物の一例としてのパッケージ体１３を収容する。本実施の形態において、パッケージ体１３は、例えば上下に長い略直方体で形成される。パッケージ体１３の上面には、人が把持し易くするために取手２１が設けられる。パッケージ体１３の適用例としては、例えば荷重体としての充電池、タンク（例えば、水もしくは灯油が注水されたタンク）が挙げられる。パッケージ体１３は、例えば数Ｋｇ（キログラム）〜１０Ｋｇ（キログラム）程度の重量を有するものとすることができる。パッケージ体１３の下面には、被結合部２３（図５参照）が設けられている。被結合部２３は、収納装置１１に設けられた後述の結合部２５（図５参照）と結合する。
【００１４】
パッケージ体１３に設けられる被結合部２３は、例えばメス端子を絶縁性樹脂のメスハウジング内に収容したメスコネクタとすることができる。一方、収納装置１１に設けられる結合部２５は、例えばオス端子を絶縁性樹脂のオスハウジング内に収容したオスコネクタとすることができる。
【００１５】
収納体１５は、底面２７と、一対の平行な内側面２９と、奥面３１とにより収容空間３３（収容部の一例）を囲む。底面２７は、略正方形状の底板３５の上側面となる。一対の平行な内側面２９は、縦長矩形状の一対の側板３７の対向面となる。図１や図２では、左側の側板３７ならびに内側面２９については、例えば底面２７、結合部２５、枠板５９、前方ガイド１７、後方ガイド１９の説明を分かり易くするため、点線にて図示されている。奥面３１は、収容空間３３を囲む壁面（例えば、一対の側板３７ならびに奥面３１）のうち、収容空間３３の奥側の面である。奥面３１は、底板３５から略垂直もしくは垂直に起立するとともに、一対の側板３７を接続する縦長矩形状の背板３９の前側面となる。一対の平行な内側面２９は、パッケージ体１３の一対の平行なパッケージ側面４１に僅かなクリアランスを隔てて対向することにより、パッケージ体１３の挿入をガイドする。
【００１６】
なお、底面２７、内側面２９及び奥面３１の形成される部材は、これら底板３５、側板３７、背板３９に限定されず、板形状以外のブロック体であってもよい。また、底面２７、内側面２９及び奥面３１は一体的に形成されてもよい。また、一対の側板３７は、互いに平行に設けられなくてもよく、互いに斜めに向き合ってもよいし、高さも同一でも良いし、異なってもよい。
【００１７】
収納体１５は、前面開口部４３と上面開口部４５とが連続することにより、収容空間３３が隣接する直交２平面で開放する。収納体１５は、これら前面開口部４３及び上面開口部４５を挿入口として、パッケージ体１３を複数方向から収容空間３３に挿入可能としている。
【００１８】
ここで、複数方向とは、例えば左右に長い仮想中心を軸にパッケージ体１３を回転させたときのそれぞれの回転角度におけるパッケージ体１３の傾斜方向である。パッケージ体１３の傾斜方向は、傾斜角度０°〜９０°の範囲における任意の角度である。パッケージ体１３は、長手方向が上下方向（鉛直方向）となる傾斜角度０°の起立姿勢から、長手方向が前後方向（水平方向）となる傾斜角度９０°の水平姿勢までの範囲で任意の傾斜方向で挿入が可能となる。即ち、収納装置１１は、パッケージ体１３を任意の角度から収納体１５に挿入可能としている。
【００１９】
図２は、図１に示した収納体１５の斜視図である。前方ガイド１７は、一対の内側面２９の間で前面開口部４３に近接して底面２７に設けられている。前方ガイド１７は、側面視が略台形状の凸部として形成される。
【００２０】
本実施の形態において、一対の前方ガイド１７が、奥面３１に沿う方向に離間して設けられている。なお、離間する左右一対の前方ガイド１７は、相互に接続された一体で形成されてもよい。
【００２１】
図３は、図２に示した収納体１５の側面図である。それぞれの前方ガイド１７は、奥面３１に向かって下る傾斜面４７を有する。
【００２２】
本実施の形態において、前方ガイド１７は、前面開口部４３に近接する上段平面４９と、この上段平面４９よりも底面２７からの高さが低く奥面側となる下段平面５１とを有する。そして、傾斜面４７は、上段平面４９と下段平面５１を接続する上段傾斜面５３と、下段平面５１と底面２７とを接続する下段傾斜面５５とからなる。
【００２３】
従って、傾斜面４７は、上段傾斜面５３と、下段傾斜面５５との総称である。
【００２４】
なお、収納装置１１は、前方ガイド１７の下段平面５１及び下段傾斜面５５を、省略した構成としてもよい。この場合、収納装置１１は、パッケージ体１３を底面２７に直接載置することとなる。本実施の形態においては、パッケージ体１３は、下部の前方縁部５７が下段平面５１に載置される結果、下面が底面２７から浮上して収容される（図９参照）。
【００２５】
一方、後方ガイド１９は、上面開口部４５に近接して奥面３１に設けられる。この後方ガイド１９は、収容空間３３に収容されたパッケージ体１３の奥面３１に沿う上方向（例えば、鉛直方向上方）の移動を規制するストッパとして機能する。後方ガイド１９は、側面視が例えば四角形状の凸部として形成される。本実施の形態において、一対の後方ガイド１９が、奥面３１に沿う方向に離間して設けられている。なお、離間する左右一対の後方ガイド１９は、相互に接続された一体で形成されてもよい。
【００２６】
収納装置１１では、パッケージ体１３を任意の角度から収納体１５に挿入する際に、収納体１５に設けられた前方ガイド１７及び後方ガイド１９により、パッケージ体１３の運動軌道が決定される。
【００２７】
この結合部２５は、前方ガイド１７より奥面３１に接近して設けられる。
【００２８】
結合部２５は、可動機構を備えることで、パッケージ体１３の被結合部２３と接触後、パッケージ体１３の自重により、被結合部２３と結合する方向に動作する。
【００２９】
収納装置１１は、パッケージ体１３に嵌る結合部２５が底面２７に設けられる。結合部２５は、パッケージ体１３との結合前に、結合方向が前面開口部４３に向かう方向に前傾する。通常時において前傾姿勢となった結合部２５は、パッケージ体１３との結合後には、結合方向が奥面３１に沿う上方向に向いて起立するように可動自在に設けられている。
【００３０】
収納装置１１では、結合部２５の動作とともにパッケージ体１３が運動し、後方ガイド１９の下方へ入り込む。その結果、パッケージ体１３は、鉛直方向上方への浮き上がりが規制される。このように、収納装置１１では、パッケージ体１３と収納体１５の結合、及びパッケージ体１３の鉛直方向上方への浮き上がり防止を、省スペースで実現している。
【００３１】
結合部２５は、左右方向に長い上記のオスコネクタとして形成される。オスコネクタは、オスハウジングが、バネ部材等（不図示）により図３に示した前傾姿勢となる方向に付勢される。結合部２５は、後方へ向かう外力が加えられることにより、バネ部材の付勢力に抗して底面２７に垂直な方向に起立した姿勢（図９に示す姿勢）となるよう可動自在に保持されている。
【００３２】
また、本実施の形態において、結合部２５は、底面２７から突出して設けられた突出部からさらに突出して設けられる。突出部は、矩形板形状に形態された枠板５９やスライド板等とすることができる。この突出部は、底面２７からの高さが下段平面５１の底面２７からの高さと同一に形成される。この突出部には、パッケージ体１３の下部の後方縁部６１（図９参照）が載置される。従って、パッケージ体１３は、下部の前方縁部５７が下段平面５１に載置されるとともに、下部の後方縁部６１が突出部に載置されることにより、底面２７から浮上して水平に収納される。
【００３３】
次に、収納装置１１に対するパッケージ体１３の収納方法を説明する。
【００３４】
（前面開口部から収納する場合）
図４は、前面開口部４３からの収納動作を説明する、収納体１５と前方縁部５７が接地したパッケージ体１３との正面図である。図５は、図４のＡ−Ａ矢視図である。収納装置１１に、前面開口部４３からパッケージ体１３を収容するには、例えば、前方ガイド１７の上段平面４９上に前方縁部５７が当接するようにパッケージ体１３が載置される。その後、パッケージ体１３が後方（つまり、奥面３１側）に押し込まれて挿入されることによって、前方縁部５７は上段平面４９上を後方（つまり、奥面３１側）に向かって当接しながら移動する。さらに、前方縁部５７は、上段平面４９の終端から上段傾斜面５３に沿って斜め方向（図５の矢印ａ方向）に移動する。上段傾斜面５３に前方縁部５７を沿わしたパッケージ体１３は、さらに後方（つまり、奥面３１）に向かって挿入される（言い換えると、押し込まれる）と前方縁部５７が下段平面５１に当接することで、仮支持状態となる。
【００３５】
図６は、前面開口部４３からの収納動作を説明する、収納体１５と起こされる途中のパッケージ体１３との正面図である。図７は、図６のＢ−Ｂ矢視図である。パッケージ体１３は、前方縁部５７を下段平面５１に支持した状態で、この前方縁部５７を支点として、上部の後方縁部６３が後方ガイド１９に接近する方向（図７の矢印ｂ方向）に回転する。回転したパッケージ体１３は、下部の後方縁部６１に設けられた被結合部２３が、底面２７の結合部２５に一致する。
【００３６】
図８は、前面開口部４３からの収納動作を説明する、収納体１５と収納の完了したパッケージ体１３との正面図である。図９は、図８のＣ−Ｃ矢視図である。パッケージ体１３は、さらに回転されることにより、被結合部２３が結合部２５と結合する。この際、結合部２５は、前傾姿勢から、起立姿勢に回転する。これにより、パッケージ体１３は、収納体１５に収納され、結合部２５との結合が完了する。
【００３７】
図１０は、前方縁部５７が底面２７に載置された場合の収納動作を説明する、収納体１５と移動途中（言い換えると、収納途中）のパッケージ体１３の側面図である。なお、収納装置１１では、図１０に示すように、パッケージ体１３の下部の前方縁部５７が、底面２７に接する大きな傾斜角度の前傾姿勢で挿入されることも想定される。この場合、前方縁部５７が底面２７に載ったパッケージ体１３は、一旦、手前方向（図１０の矢印ｃ方向）に引き寄せ、前方ガイド１７の下段傾斜面５５に、前方縁部５７をよじ登らせる。下段平面５１に載ったパッケージ体１３は、前方縁部５７が上段傾斜面５３に当接するまで引き寄せられる。これにより、図５に示した状態と同一の状態となる。以下、上記と同様の動作によりパッケージ体１３の収納及び被結合部２３と結合部２５との結合を完了することができる。
【００３８】
（上面開口部から収納する場合）
図１１は、上面開口部４５からの収納動作を説明する、収納体１５と後方ガイド１９に当接したパッケージ体１３との正面図である。図１２は、図１１のＤ−Ｄ矢視図である。一方、収納装置１１に、上面開口部４５からパッケージ体１３を収容するには、パッケージ体１３の背面６５を後方ガイド１９に沿わせながら、パッケージ体１３を下方向（図１２の矢印ｄ方向）に挿入する。
【００３９】
図１３は、上面開口部４５からの収納動作を説明する、収納体１５と被結合部２３が結合部２５に一致したパッケージ体１３との正面図である。図１４は、図１３のＥ−Ｅ矢視図である。後方ガイド１９に沿わせて下降したパッケージ体１３は、被結合部２３が結合部２５に一致する。この際、結合部２５は、未だ前傾姿勢のままで保持される。また、パッケージ体１３の前方縁部５７は、未だ上段傾斜面５３に接触していない。
【００４０】
図１５は、上面開口部４５からの収納動作を説明する、収納体１５と前方縁部５７が上段傾斜面５３に当接したパッケージ体１３との正面図である。図１６は、図１５のＦ−Ｆ矢視図である。結合部２５に被結合部２３が一致したパッケージ体１３をさらに下降させる。パッケージ体１３は、被結合部２３が結合部２５に対して結合開始される。同時に、パッケージ体１３は、前方縁部５７が上段傾斜面５３に当接する。この状態でさらに下降したパッケージ体１３は、上段傾斜面５３との摺接に伴って反力を受け、前方縁部５７が奥面３１に接近する方向（図１６の矢印ｅ方向）に移動する。
【００４１】
その結果、パッケージ体１３は、下斜め奥側へ移動し、前方縁部５７が下段平面５１に到達し、上部の後方縁部６３が後方ガイド１９の下方へ進入する。同時に、このパッケージ体１３の斜め移動により、結合部２５が起立する方向に可動される。その結果、図９と同様の状態となり、パッケージ体１３は、収納体１５に収納され、結合部２５との結合が完了する。
【００４２】
次に、本実施の形態に係る収納装置１１の構成による作用を説明する。
【００４３】
本実施の形態に係る収納装置１１では、収納体１５は、底面２７と収容空間３３を囲む壁面（例えば、内側面２９と奥面３１）と前面開口部４３と上面開口部４５を有して、パッケージ体１３を複数方向から収容空間３３に挿入可能とする。前方ガイド１７は、一対の内側面２９の間で前面開口部４３に近接して底面２７に設けられ奥面３１に向かって下る傾斜面４７を有する。後方ガイド１９は、上面開口部４５に近接して奥面３１に設けられ収容空間３３に収容されたパッケージ体１３の奥面３１に沿う上方向の移動を規制する。
【００４４】
従って、本実施の形態に係る収納装置１１では、収納体１５の収容空間３３が、連続する前面開口部４３と上面開口部４５とにより開放されている。前傾姿勢で収容空間３３に挿入されたパッケージ体１３は、重量物（言い換えると、荷重体）であっても、前方ガイド１７の傾斜面４７に沿わすことで、荷重を支持させながら、収納完了位置（セット位置）への容易な位置決めが可能となる。荷重を支持させた前傾姿勢のパッケージ体１３は、接地部を中心に上部を奥面３１に向かって起こす。上部が起こされたパッケージ体１３は、上部の後方縁部６３が後方ガイド１９の下方に入り込み、セット位置への収納が完了する。
【００４５】
一方、上面開口部４５から収容空間３３へ挿入されるパッケージ体１３は、背面６５が後方ガイド１９に接触してほぼ鉛直方向で下降される。下降したパッケージ体１３は、下部の前方縁部５７が前方ガイド１７の傾斜面４７に当接すると、若干量、後方へ移動されるとともに、上部の後方縁部６３が後方ガイド１９の下方に入り込み、セット位置への収納が完了する。
【００４６】
このように、パッケージ体１３は、前面開口部４３及び上面開口部４５から任意の傾斜角度で挿入が可能となる。そして、セット位置への収納が完了したパッケージ体１３は、上部の後方縁部６３が後方ガイド１９の下方に入り込んでいるので、収容空間３３からの容易な上方向（例えば、鉛直方向上方）への浮き上がりが規制される。その結果、収納装置１１は、操作性と被収納物を保護する信頼性とを向上する効果がある。
【００４７】
また、収納装置１１では、パッケージ体１３に嵌る結合部２５が底面２７に設けられる。結合部２５は、パッケージ体１３との結合前に結合方向が前面開口部４３に向かう方向に前傾して配置されるとともに、パッケージ体１３との結合後に結合方向が奥面３１に沿う上方向に向くように可動自在に設けられる。
【００４８】
従って、この収納装置１１では、結合部２５は、パッケージ体１３との結合前に結合方向が、前面開口部４３に向かう方向に前傾して配置されている。つまり、結合部２５は、パッケージ体１３との結合が始まるまでは前傾した姿勢を維持した状態で結合を待ち受けている。前傾姿勢で挿入されたパッケージ体１３は、接地部を中心に起こされた際、被結合部２３が円弧を軌跡に移動することから、円弧の接線方向に傾斜した前傾姿勢の結合部２５と容易な位置あわせが可能となる。結合部２５は、パッケージ体１３との結合が完了した後には、パッケージ体１３の起立姿勢への動きに追従して、上方向（例えば、鉛直方向上方）に向くように可動する。また、この結合部２５の前傾姿勢は、パッケージ体１３の鉛直方向からの結合も許容する傾斜角度に設定されている。このため、パッケージ体１３は、背面６５が後方ガイド１９に接触して下降された場合には、被結合部２３がそのまま前傾姿勢の結合部２５の受け入れを可能とする。この場合においても、被結合部２３に進入した結合部２５は、セット位置への収納完了に伴うパッケージ体１３の動きに追従して上方向に起立して向くように可動する。
【００４９】
また、収納装置１１では、壁面は、一対の平行な内側面２９と奥面３１とにより構成される。
【００５０】
従って、この収納装置１１では、平行な内側面２９に挟まれるようにパッケージ体１３の挿入を人に促すことができるので、奥面３１に対して真っ直ぐに（言い換えると、斜めにぶれないように）、パッケージ体１３の挿入が可能となる。
【００５１】
さらに、収納装置１１では、結合部２５は、前方ガイド１７より奥面３１に接近して設けられる。
【００５２】
従って、この収納装置１１では、結合部２５が奥面３１に近接して設けられることにより、結合部２５がほぼ後方ガイド１９の直下に配置される。これにより、パッケージ体１３は、鉛直方向上側への浮き上がりによる結合部２５からの離脱を、結合部２５が前面開口側に配置される場合に比べ、より規制しやすくできる。
【００５３】
また、収納装置１１では、一対の前方ガイド１７が、奥面３１に沿う方向に離間して設けられている。
【００５４】
従って、この収納装置１１では、パッケージ体１３を収容空間３３へ挿入する際、パッケージ体１３の下部の前方縁部５７が、左右方向一対の前方ガイド１７により支持可能となる。左右方向一対の前方ガイド１７に支持されたパッケージ体１３は、下部の前方縁部５７が、底面２７に平行、かつ、奥面３１に平行に位置決めしやすくなる。その結果、収納装置１１は、パッケージ体１３の下部の前方縁部５７を接地させた仮支持位置から、収納が完了するまでの動作を円滑に（内側面２９との過剰な衝突や摩擦を抑制）できる。
【００５５】
また、収納装置１１では、前方ガイド１７は、前面開口部４３に近接する上段平面４９と、この上段平面４９よりも底面２７からの高さが低く奥面側となる下段平面５１とを有する。傾斜面４７は、上段平面４９と下段平面５１を接続する上段傾斜面５３と、下段平面５１と底面２７とを接続する下段傾斜面５５とを有する。
【００５６】
従って、この収納装置１１では、底面２７に突出部が存在する場合などでは、パッケージ体１３の下面を下段平面５１で支持することにより、パッケージ体１３を底面２７から浮上させて収納することができる。この場合、底面２７に下部の前方縁部５７が直接載置されたパッケージ体１３は、下段傾斜面５５に下部の前方縁部５７をよじ登らせることにより、容易に下面を支持面となる下段平面５１に移動することができる。なお、突出部は、例えば結合部２５の枠板５９やスライド板とすることができる。
【００５７】
従って、本実施の形態に係る収納装置１１によれば、被収納物（例えば、パッケージ体１３）が挿入され易く、載置された被収納物の上方向（例えば、鉛直方向上方）への抜けも抑制できる。
【００５８】
以上、図面を参照しながら実施形態について説明したが、本開示はかかる例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。また、発明の趣旨を逸脱しない範囲において、上述した実施の形態における各構成要素を任意に組み合わせてもよい。
【００５９】
なお、本出願は、２０１７年１１月１０日出願の日本特許出願（特願２０１７−２１７６８７）に基づくものであり、その内容は本出願の中に参照として援用される。
【産業上の利用可能性】
【００６０】
本開示は、被収納物が挿入され易く、載置された被収納物の鉛直方向上方への抜けも抑制する収納装置として有用である。
【符号の説明】
【００６１】
１１  収納装置
１３  パッケージ体
１５  収納体
１７  前方ガイド
１９  後方ガイド
２５  結合部
２７  底面
２９  内側面
３１  奥面
３３  収容空間
４３  前面開口部
４５  上面開口部
４７  傾斜面
４９  上段平面
５１  下段平面
５３  上段傾斜面
５５  下段傾斜面
【図１】
2019093343.tif 000003
【図２】
2019093343.tif 000004
【図３】
2019093343.tif 000005
【図４】
2019093343.tif 000006
【図５】
2019093343.tif 000007
【図６】
2019093343.tif 000008
【図７】
2019093343.tif 000009
【図８】
2019093343.tif 000010
【図９】
2019093343.tif 000011
【図１０】
2019093343.tif 000012
【図１１】
2019093343.tif 000013
【図１２】
2019093343.tif 000014
【図１３】
2019093343.tif 000015
【図１４】
2019093343.tif 000016
【図１５】
2019093343.tif 000017
【図１６】
2019093343.tif 000018
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
底面と収容空間を囲む壁面と前面開口部と上面開口部を有して、パッケージ体を複数方向から前記収容空間に挿入可能とする収納体と、
前記前面開口部に近接して前記底面に設けられ、前記壁面のうち前記収容空間の奥側の面に向かって下る傾斜面を有する前方ガイドと、
前記上面開口部に近接して前記奥側の面に設けられ、前記収容空間に収容された前記パッケージ体の前記奥側の面に沿う上方向の移動を規制する後方ガイドと、を備え、
前記前方ガイドは、前記前面開口部に近接する上段平面と、この上段平面よりも前記底面からの高さが低く奥側の面となる下段平面とを有し、
前記傾斜面が、前記上段平面と前記下段平面とを接続する上段傾斜面を有する、
収納装置。
【請求項２】
前記パッケージ体に嵌る結合部が前記底面に設けられ、
前記結合部は、前記パッケージ体との結合前に結合方向が前記前面開口部に向かう方向に前傾して配置されるとともに、前記パッケージ体との結合後に結合方向が前記奥側の面に沿う上方向に向くように可動自在に設けられる、
請求項１に記載の収納装置。
【請求項３】
前記壁面は、一対の平行な内側面と奥面とを有する、
請求項１に記載の収納装置。
【請求項４】
前記パッケージ体に嵌る結合部が、前記前方ガイドより前記奥面に接近して設けられる、
請求項３に記載の収納装置。
【請求項５】
一対の前記前方ガイドが、前記奥側の面に沿う方向に離間して設けられる、
請求項１又は２に記載の収納装置。
【請求項６】
前記傾斜面が、さらに、前記下段平面と前記底面とを接続する下段傾斜面、を有する、
請求項１〜３のうちいずれか一項に記載の収納装置。 
【手続補正２】
【補正対象書類名】明細書
【補正対象項目名】０００５
【補正方法】変更
【補正の内容】
【０００５】
本開示の収納装置は、底面と収容空間を囲む壁面と前面開口部と上面開口部を有して、パッケージ体を複数方向から前記収容空間に挿入可能とする収納体と、前記前面開口部に近接して前記底面に設けられ、前記壁面のうち前記収容空間の奥側の面に向かって下る傾斜面を有する前方ガイドと、前記上面開口部に近接して前記奥側の面に設けられ、前記収容空間に収容された前記パッケージ体の前記奥側の面に沿う上方向の移動を規制する後方ガイドと、を備え、前記前方ガイドは、前記前面開口部に近接する上段平面と、この上段平面よりも前記底面からの高さが低く奥面側となる下段平面とを有し、前記傾斜面が、前記上段平面と前記下段平面とを接続する上段傾斜面を有する。 
【国際調査報告】
2019093343.tif 000019
2019093343.tif 000020
2019093343.tif 000021